(57)【特許請求の範囲】
【請求項１】
外部装置に接続される通信端末であって、
ＬＴＥ（Ｌｏｎｇ  Ｔｅｒｍ  Ｅｖｏｌｕｔｉｏｎ）網に設置され、パケットデータ通信に課金を禁止するように設定された第１アクセスポイントに接続して自らの第１位置情報の登録を要求する初期通信部と、
前記第１位置情報の登録が完了した後に前記第１アクセスポイントとは異なる第２アクセスポイントであって、前記ＬＴＥ網に設置され、前記パケットデータ通信に課金するように設定された第２アクセスポイントに自らの接続先を変更するために、当該第２アクセスポイントに対する自らの第２位置情報の登録を要求する変更部と、
を備える通信端末。
【請求項２】
前記通信端末は、前記外部装置に対して着脱可能に構成されている、請求項１に記載の通信端末。
【請求項３】
前記外部装置に接続されたことを検出する検出部を更に備え、
前記初期通信部は、前記外部装置に接続されたことを検出した場合に前記第１アクセスポイントに接続する、請求項１又は２に記載の通信端末。
【請求項４】
前記第１アクセスポイントおよび前記第２アクセスポイントの識別情報を記録する記録部を更に備え、
前記記録部は、前記変更部が前記第１アクセスポイントから前記第２アクセスポイントに自らの接続先を変更する場合に前記第２アクセスポイントの識別情報に更新する、請求項１から３のいずれか１項に記載の通信端末。
【請求項５】
外部装置に接続される通信端末において、
コンピュータを、
ＬＴＥ（Ｌｏｎｇ  Ｔｅｒｍ  Ｅｖｏｌｕｔｉｏｎ）網に設置され、パケットデータ通信に課金を禁止するように設定された第１アクセスポイントに接続して自らの第１位置情報の登録を要求する初期通信部と、
前記第１位置情報の登録が完了した後に前記第１アクセスポイントとは異なる第２アクセスポイントであって、前記ＬＴＥ網に設置され、前記パケットデータ通信に課金するように設定された第２アクセスポイントに自らの接続先を変更するために、当該第２アクセスポイントに対する自らの第２位置情報の登録を要求する変更部と、
して機能させる通信プログラム。
【請求項６】
外部装置に接続される通信端末であって、
通信に課金を禁止するように設定された第１アクセスポイントに接続して自らの第１位置情報の登録を要求する初期通信部と、
前記第１位置情報の登録が完了した後に前記第１アクセスポイントとは異なる、前記通信に課金するように設定された第２アクセスポイントに自らの接続先を変更するために、当該第２アクセスポイントに対する自らの第２位置情報の登録を要求する変更部と、
を備える通信端末と通信可能に接続するコンピュータにおいて実行される通信プログラムであって、
コンピュータに、
前記通信端末の接続状態を取得する機能と、
前記通信端末から前記第１位置情報の登録が完了した旨の情報を取得した場合に前記第２アクセスポイントへの接続指示を受け付けるための指示待ち画像を生成させる機能と、
前記接続指示を受け付けた場合に前記通信端末へ前記第２アクセスポイントへの接続を指示する機能と、
を実行させる通信プログラム。
【発明の詳細な説明】
【技術分野】
【０００１】
本発明は、通信端末及び通信プログラムに係り、通信の接続先を変更する際の通信技術に関する。
【背景技術】
【０００２】
従来から、パケット交換方式でデータの送受信を行う移動通信システムが知られている。このパケット交換方式の一例として、ＬＴＥ（Ｌｏｎｇ Ｔｅｒｍ Ｅｖｏｌｕｔｉｏｎ）網を用いた通信方式が挙げられる（例えば特許文献１参照）。
【先行技術文献】
【特許文献】
【０００３】
【特許文献１】特開２０１４−７９００１号公報
【発明の概要】
【発明が解決しようとする課題】
【０００４】
ここで、特許文献１記載の移動通信システムにおいては、移動機は、インターネット網等を含むＰＤＮ(Ｐａｃｋｅｔ  Ｄａｔａ  Ｎｅｔｗｏｒｋ)との接続を確立するために、移動通信事業者のコアネットワーク（ＥＰＣ：Ｅｖｏｌｖｅｄ  Ｐａｃｋｅｔ  Ｃｏｒｅ）上のＭＭＥ（Ｍｏｂｉｌｉｔｙ  Ｍａｎａｇｅｍｅｎｔ  Ｅｎｔｉｔｙ）に対して、移動機の位置情報の登録を要求する。このとき、移動機は、予め設定されている、データ通信を行うための接続先を示すＡＰＮ(Ａｃｃｅｓｓ  Ｐｏｉｎｔ  Ｎａｍｅ)により特定されるＡＰ（Ａｃｃｅｓｓ  Ｐｏｉｎｔ）との接続を確立してから、自らの位置情報を登録する。
【０００５】
しかしながら、特許文献１記載の移動通信システムにおける移動機では、位置情報の登録処理をする間にデータ通信が始まっているため、通信事業者が位置登録完了までにユーザに対して特別な便宜を付与することができない。特別な便宜としては、限定はないが、例えば、データ通信料を無料にしたり減額したり特典を与えたりするような場合である。
【０００６】
そこで、本発明のいくつかの態様はかかる事情に鑑みてなされたものであり、位置情報の登録処理を実行する場合において、ユーザに対して特別な便宜を付与可能な通信端末及び通信プログラムを提供することを目的の一つとする。
【課題を解決するための手段】
【０００７】
本発明の一側面に係る通信端末は、外部装置に接続される通信端末であって、ＬＴＥ（Ｌｏｎｇ  Ｔｅｒｍ  Ｅｖｏｌｕｔｉｏｎ）網に設置され、パケットデータ通信に課金を禁止するように設定された第１アクセスポイントに接続して自らの第１位置情報の登録を要求する初期通信部と、第１位置情報の登録が完了した後に第１アクセスポイントとは異なる第２アクセスポイントであって、ＬＴＥ網に設置され、パケットデータ通信に課金するように設定された第２アクセスポイントに自らの接続先を変更するために、当該第２アクセスポイントに対する自らの第２位置情報の登録を要求する変更部と、を備える。
【０００８】
なお、本発明において、「部」、「装置」、「システム」とは、単に物理的手段を意味するものではなく、その「部」、「装置」、「システム」が有する機能をソフトウェアによって実現する場合も含む。また、１つの「部」、「装置」、「システム」が有する機能が２つ以上の物理的手段や装置により実現されても、２つ以上の「部」、「装置」、「システム」の機能が１つの物理的手段や装置により実現されても良い。
【発明の効果】
【０００９】
本発明によれば、外部装置に通信可能に接続される通信端末であって、第１接続先に接続して自らの位置情報の登録を要求し、位置情報の登録が完了した後に第１接続先とは異なる第２接続先に自らの接続先を変更して外部装置との通信を仲介するので、位置情報の登録処理を実行する通信において、ユーザに対して特別な便宜を付与可能な通信端末及び通信プログラムを提供可能である。
【図面の簡単な説明】
【００１０】
【図１】本発明の実施形態に係る移動通信システムの全体構成図である。
【図２】本発明の実施形態に係る通信端末のブロック図である。
【図３】本発明の実施形態に係る情報処理装置のブロック図である。
【図４】本発明の実施形態に係る接続先変更処理フローの一例を示すフローチャートである。
【図５】本発明の実施形態に係る情報処理装置の表示部に表示される操作画面の一例を示す図である。
【図６】本発明の実施形態に係る情報処理装置の表示部に表示される操作画面の一例を示す図である。
【発明を実施するための形態】
【００１１】
以下、添付図面を参照しながら本発明の実施形態について説明する。説明の理解を容易にするため、各図面において同一の構成要素及びステップに対しては可能な限り同一の符号を付して、重複する説明は省略する。
【００１２】
（移動通信システムの全体構成）
図１は、本発明の実施形態に係る移動通信システムの全体構成図である。図１に示すように、移動通信システム１は、例示的に、通信端末１０と、通信端末１０を脱着可能である情報処理装置２０と、通信端末１０と通信可能な基地局３０と、基地局３０と通信可能であり、移動通信事業者のコアネットワークＥＰＣ（Ｅｖｏｌｖｅｄ  Ｐａｃｋｅｔ  Ｃｏｒｅ）に含まれるサーバ装置１００Ａ，Ｂと、サーバ装置１００Ａ，Ｂと通信可能であり、通信端末１０の契約情報や認証情報等を管理する管理サーバＨＳＳ（Ｈｏｍｅ  Ｓｕｂｓｃｒｉｂｅｒ  Ｓｅｒｖｅｒ）８０と、を備えて構成されている。なお、本実施形態の移動通信システム１においては、ＨＳＳを一台備えるが、これに限られず、サーバ装置１００Ａに対して一台、サーバ装置１００Ｂに対して一台備えてもよい。また、ＨＳＳは、ＥＰＣ外に配置されていると説明するが、ＥＰＣ内に配置されてもよい。
【００１３】
通信端末１０は、情報処理装置２０が実行する、インターネット網等を含む外部ネットワークであるＰＤＮ(Ｐａｃｋｅｔ  Ｄａｔａ  Ｎｅｔｗｏｒｋ)との通信を仲介する仲介手段であり、ＵＳＢ（Ｕｎｉｖｅｒｓａｌ  Ｓｅｒｉａｌ  Ｂｕｓ）端末、ルータ、携帯電話やＰＨＳ等の移動電話であれば特に種類は限定されないが、本実施形態ではＵＳＢ端末とする。情報処理装置２０の通信の仲介手段としての通信端末１０は、例えば、コアネットワークＥＰＣにおいて設定される、通信端末１０の接続先を示すＡＰＮ(Ａｃｃｅｓｓ  Ｐｏｉｎｔ  Ｎａｍｅ)を介して、ＰＤＮとデータ通信を行う。なお、コアネットワークＥＰＣ及びＰＤＮは、例えばパケット交換網であり、当該パケット交換網おいて、例えばＬＴＥ（Ｌｏｎｇ  Ｔｅｒｍ  Ｅｖｏｌｕｔｉｏｎ）が採用されている。
【００１４】
サーバ装置１００Ａ，Ｂは、情報処理装置２０が実行する、ＰＤＮとのパケットデータ通信を支援する装置である。例えば、サーバ装置１００Ａは、通信端末１０が後述する通信端末１０の位置情報の登録処理を実行する場合の接続先を提供する装置であり、サーバ装置１００Ｂは、情報処理装置２０が通信端末１０を介してＰＤＮとのパケットデータ通信を行う場合の接続先を提供する装置である。以下では、まずサーバ装置１００Ａの構成について説明し、その後、サーバ装置１００Ｂの構成について説明する。
【００１５】
サーバ装置１００Ａは、例示的に、ＭＭＥ（Ｍｏｂｉｌｉｔｙ  Ｍａｎａｇｅｍｅｎｔ  Ｅｎｔｉｔｙ）４０Ａと、ＳＧＷ（Ｓｅｒｖｉｎｇ  Ｇａｔｅｗａｙ）５０Ａと、ＰＣＲＦ（Ｐｏｌｉｃｙ  ａｎｄ  Ｃｈａｒｇｉｎｇ  Ｒｕｌｅｓ  Ｆｕｎｃｔｉｏｎ）６０Ａと、ＰＧＷ（Ｐａｃｋｅｔ  Ｄａｔａ  Ｎｅｔｗａｒｋ  Ｇａｔｅｗａｙ）７０Ａと、を含んで構成されている。
【００１６】
ＭＭＥ４０Ａは、例えば、通信端末１０の位置情報の登録処理や基地局３０とＳＧＷ５０Ａとの間のパケットデータ転送経路であるベアラを設定するベアラ設定処理等を行う。
【００１７】
ＳＧＷ５０Ａは、基地局３０から転送されるパケットデータをＰＧＷ７０Ａへ中継し、又は、ＰＧＷ７０Ａから転送されるパケットデータを基地局３０へ中継する。
【００１８】
ＰＣＲＦ６０Ａは、通信端末１０が送受信するパケットデータに対して適用する、課金体系やＱｏＳ（Ｑｕａｌｉｔｙ  ｏｆ  Ｓｅｒｖｉｃｅ）等の制御ルールを設定する。ＰＣＲＦ６０Ａが設定した課金体系情報や制御ルール情報は、ＳＧＷ５０Ａ、ＰＧＷ７０Ａ、基地局３０等に通知され、ＳＧＷ５０Ａ、ＰＧＷ７０Ａ、基地局３０等は、課金体系情報や制御ルール情報に基づいて、各処理を実施する。例えば、ＰＣＲＦ６０Ａは、ＡＰＮごとに記録している課金体系を参照し、位置情報の登録処理用に接続される接続先であるＡＰが無課金と設定されていると判断すると、ＰＧＷ７０Ａ等へ無課金制御を指示するように構成される。
【００１９】
ＰＧＷ７０Ａは、通信端末１０と所定のネットワークとの通信接続を行う。また、ＰＧＷ７０は、課金データの収集や通信端末１０へのＩＰアドレスの割り当て等を行う。
【００２０】
次に、サーバ装置１００Ｂの構成について説明する。なお、サーバ装置１００Ｂにおいて、サーバ装置１００Ａの構成と同様な構成については、説明を省略する。
【００２１】
サーバ装置１００ＢのＰＣＲＦ６０Ｂは、ＡＰＮごとに記録している課金体系を参照し、情報処理装置２０が通信端末１０を介してＰＤＮとのパケットデータ通信を行う場合の接続先であるＡＰが課金と設定されていると判断すると、ＰＧＷ７０Ｂ等へ課金制御を指示するように構成される。
【００２２】
なお、移動通信システム１においては、ＭＭＥ４０Ａ、ＳＧＷ５０Ａ、ＰＣＲＦ６０Ａ、及びＰＧＷ７０Ａは、単一のサーバとしてのサーバ装置１００Ａに含まれる構成としてＥＰＣ上に配置されているが、これに限られず、ＭＭＥ４０Ａ、ＳＧＷ５０Ａ、ＰＣＲＦ６０Ａ、及びＰＧＷ７０Ａの少なくとも一つは、分散してＥＰＣ上に配置されてもよい。なお、同様に、ＭＭＥ４０Ｂ、ＳＧＷ５０Ｂ、ＰＣＲＦ６０Ｂ、及びＰＧＷ７０Ｂの少なくとも一つは、分散してＥＰＣ上に配置されてもよい。また、移動通信システム１は、例示的に、通信端末１０と、情報処理装置２０と、基地局３０と、をそれぞれ一台ずつ備えているが、これに限られず、通信端末１０と、情報処理装置２０と、基地局３０と、は複数台であってもよい。
【００２３】
（通信端末の構成）
図２は、図１に示す通信端末１０の構成の一例を説明するためのブロック図である。図２に示すように、通信端末１０は、例示的に、記録部１１と、接続部１３と、無線通信部１５と、変更部１７と、を備える。
【００２４】
記録部１１は、各種データを記憶するブロックである。記録部１１には、少なくとも、複数のＡＰ情報ＣＩＤ（Ｃｏｎｔａｃｔ  ＩＤ）１１１、１１３、１１５が記憶されている。ＡＰ情報ＣＩＤは、通信端末１０の接続先であるＡＰの識別情報である。各々のＡＰ情報ＣＩＤは、例えば、ＡＰＮや認証処理用のＩＤ、パスワードＰＡＳＳを含む。ここで、本実施形態では特にデータ通信に課金をしないように設定されたＡＰ情報ＣＩＤ１１３を含んでいる点に特徴がある。以下、各ＡＰ情報ＣＩＤについて説明する。
【００２５】
ＡＰ情報ＣＩＤ１１１は、通信に課金するように設定されている接続先である。例えば、通信端末１０は、ＰＤＮ等の外部ネットワークと通信する場合には、ＡＰ情報ＣＩＤ１１１に対応するＡＰと接続する。記録部１１は、通信端末１０がＡＰ情報ＣＩＤ１１１に対応するＡＰと接続する場合に、例えば、ＡＰＮや認証処理用のＩＤ、パスワードを更新するように構成されている。具体的に、情報処理装置２０から送信される接続指示に含まれる接続先ＡＰの識別情報等が、ＡＰＮ：ＸＸ、ＩＤ：ＸＸＸ、パスワードＸＸＸＸである場合は、記録部１１が記録しているＡＰ情報ＣＩＤ１１１に含まれるＡＰＮ：Ｃｏｍｍｏｎ、ＩＤ：Ｎｕｌｌ、パスワード：Ｎｕｌｌを、ＡＰＮ：ＸＸ、ＩＤ：ＸＸＸ、パスワードＸＸＸＸとなるように上書きするように構成される。
【００２６】
また、ＡＰ情報ＣＩＤ１１３のＡＰＮ：ＹＹに対応するＡＰは、予め登録されている、通信に課金を禁止するように設定されている接続先である。通信端末１０は、自らの位置情報の登録処理を要求する場合には、ＡＰ情報ＣＩＤ１１３に対応するＡＰと接続する。また、ＡＰ情報ＣＩＤ１１３のＡＰＮ：ＹＹに対応するＡＰ（第１接続先）には、必ずしも無課金として設定されていなくてもよく、例えば、データ通信料を無料にしたり、減額したり、ポイント等の特典を与えたりするような特別な便宜が付与されてもよい。なお、記録部１１は、ＡＰ情報ＣＩＤ１１１及び１１３以外のＡＰ情報ＣＩＤ１１５を記録するように構成されてもよい。
【００２７】
記録部１１は、情報処理端末２０及び基地局３０の少なくとも一方からの各種データを記録するように構成される。また、記録部１１は、メモリやハードディスク等を含んで構成されている。
【００２８】
接続部１３（検出部）は、情報処理装置２０に接続されたことを検出するブロックである。接続部１３は、情報処理装置２０からデータを受信し、情報処理装置２０に対してデータを送信するブロックである。接続部１３は、通信端末１０が情報処理装置２０に対して着脱可能となるような構成を含んでいてもよい。
【００２９】
無線通信部１５（初期通信部）は、基地局３０を介して、コアネットワークＥＰＣ上のサーバ装置１００と無線通信を実行するブロックである。無線通信部１５は、例えば、ＡＰ情報ＣＩＤ１１３のＡＰＮ：ＹＹに対応するＡＰ（第１接続先）に接続して自らの位置情報の登録を要求するブロックである。無線通信部１５は、例えば、自らの位置情報の登録要求として、ＡＰ情報ＣＩＤ１１３を含んだ要求情報を送信するように構成される。また、無線通信部１５は、接続部１３が情報処理装置２０に接続されたことを検出した場合にＡＰＮ：ＹＹに対応するＡＰに通信接続するように構成される。
【００３０】
変更部１７は、例えば、ＡＰ情報ＣＩＤ１１３のＡＰＮ：ＹＹに対応するＡＰ（第１接続先）に対する位置情報の登録が完了した後にＡＰＮ：ＹＹに対応するＡＰとは異なる、ＡＰ情報ＣＩＤ１１１のＡＰＮ：ＸＸに対応するＡＰ（第２接続先）に自らの接続先を変更して情報処理装置２０との通信を仲介する機能ブロックである。ここで、ＡＰ情報ＣＩＤ１１３のＡＰＮ：ＹＹに対応するＡＰ（第１接続先）およびＡＰ情報ＣＩＤ１１１のＡＰＮ：ＸＸに対応するＡＰ（第２接続先）は、例えばＬＴＥ網を含むコアネットワークＥＰＣに設置されている。
【００３１】
なお、通信端末１０は、コンピュータとしての機能を備えており、上述する検出部と、初期通信部と、変更部１７（変更部）とは、メモリ等に記憶されているソフトウェアプログラムをコンピュータのプロセッサが実行することにより実現される。
【００３２】
（情報処理装置の構成）
図３は、本発明の実施形態に係る情報処理装置のハードウェア構成の一例を示すブロック図である。図３に示すように、情報処理装置２０は、例示的に、中央処理装置２１０と、時計部２１１と、音声入出力部２１２と、表示部２１３と、操作部２１４と、撮像部２１５と、電源供給部２１６と、通信Ｉ／Ｆ２１７と、を備える。情報処理装置２０は、例えば、パーソナルコンピュータ等の外部装置であってよい。
【００３３】
中央処理装置２１０は、ＭＰＵ、ＲＡＭ、ＲＯＭ等を備え、所定の基本ＯＳやミドルウェア等のプログラムが実行されることにより、通信Ｉ／Ｆ２１７等の各部を制御したり、ソフトウェア構成上のネイティブプラットフォーム環境やアプリケーションソフトウェア実行環境を構築したりする。例えば、中央処理装置２１０は、本発明の実施形態に係る接続先変更処理アプリケーションソフトウェアを実行するように構成されている。
【００３４】
中央処理装置２１０は、例えば、通信端末１０から、図２に示すＡＰ情報ＣＩＤ１１３のＡＰＮ：ＹＹに対応するＡＰ（第１接続先）に対する位置情報の登録が完了した旨の情報を取得した場合にＡＰＮ：ＹＹに対応するＡＰとは異なる、ＡＰ情報ＣＩＤ１１１のＡＰＮ：ＸＸに対応するＡＰ（第２接続先）への接続指示を受け付けるための指示待ち画像を生成させるように構成される。また、中央処理装置２１０は、例えば、接続指示を受け付けた場合に通信端末１０へＡＰＮ：ＸＸに対応するＡＰ（第２接続先）への接続を指示するように構成される。なお、中央処理装置２１０は、例えば、現在通信しているＡＰとの接続の切断を指示するように構成されてもよい。
【００３５】
通信Ｉ／Ｆ２１７は、通信端末１０と通信可能に接続し、データの送受信を行うブロックである。通信Ｉ／Ｆ２１７は、例えば、通信端末１０を介して通信するネットワーク通信手段として機能し、通信端末１０の接続状態を取得するように構成されている。
【００３６】
通信Ｉ／Ｆ２１７は、基地局３０との間で無線通信するための高周波信号処理を実行するブロックであり、例えばシンセサイザ、周波数変換器、高周波増幅器等を含んで構成されている。また、通信Ｉ／Ｆ２１７は、データ送受信の通信を行うためのデジタル処理を実行するように構成されてもよい。なお、通信Ｉ／Ｆ２１７は、例えば、ＵＳＢ等のバスを含んで構成される。例えば、通信Ｉ／Ｆ２１７において、通信端末１０が情報処理装置２０に脱着可能である。
【００３７】
時計部２１１は、日時を計数し、データ通信の開始時刻、データ通信の終了時刻、データ通信期間等を含む時刻情報を生成する。時計部２１１は、例えば、図２に示す通信端末１０の無線通信部１５が所望のＡＰに接続して自らの位置情報の登録を要求する時刻を、パケット通信の開始時刻として設定してもよいし、位置情報の登録が完了した時刻を、パケット通信の開始時刻として設定してもよい。また、時計部２１１は、例えば、中央処理装置２１０が現在通信しているＡＰとの接続の切断を通信端末１０に指示する時刻を、パケット通信の終了時刻として設定してもよいし、中央処理装置２１０が通信端末１０から接続の切断完了の通知を受け取った時刻を、パケット通信の終了時刻として設定してもよい。なお、時計部２１１は、例えば、クロック回路等を含んで構成されている。
【００３８】
音声入出力部２１２は、音声の入出力処理を行うブロックであり、マイク、スピーカ、音信号処理部等を含んで構成されている。音声入出力部２１２において、例えば、マイクから出力されるアナログの音声信号は、音信号処理部でデジタル信号に変換され、中央処理装置２１０や通信Ｉ／Ｆ２１７等に送られる。スピーカは、音信号処理部でデジタル信号から変換されたアナログ信号が入力され、通話中の音声を出力したり、メールの着信音、電話の呼び出し音、音楽等を出力したりするように構成されている。
【００３９】
表示部２１３は、中央処理装置２１０が生成する画像を表示するブロックである。表示部２１３は、例えば、中央処理装置２１０が生成する指示待ち画像を表示する。なお、表示部２１３は、液晶ディスプレイや有機ＥＬディスプレイ等で構成される。
【００４０】
操作部２１４は、ユーザの指示を受け付けるブロックである。操作部２１４は、例えば、図２に示すＡＰ情報ＣＩＤ１１３のＡＰＮ：ＹＹに対応するＡＰ（第１接続先）に対する位置情報の登録が完了した旨の情報を取得した場合にＡＰＮ：ＹＹに対応するＡＰとは異なる、ＡＰ情報ＣＩＤ１１１のＡＰＮ：ＸＸに対応するＡＰ（第２接続先）への接続指示を受け付ける。なお、操作部２１４、例えば、各種の操作キーやボタン、表示部２１３に組み込まれたタッチパネル、電源ＯＮ／ＯＦＦ手段としての電源スイッチ等を含んで構成されている。
【００４１】
撮像部２１５は、人物や風景等を撮影するブロックであり、例えば、レンズやＣＣＤ（Ｃｈａｒｇｅ  Ｃｏｕｐｌｅｄ  Ｄｅｖｉｃｅ）カメラ等の撮像デバイスを含んで構成されている。
【００４２】
電源供給部２１６は、情報処理装置２０が備える装置及び各部に対して所定電圧の電力を供給するブロックであり、例えば、充電可能なバッテリーやバッテリーを充電する充電回路等を含んで構成されている。
【００４３】
（動作）
図４〜図６を用いて、本発明の実施形態に係る接続先変更処理フローを説明する。図４は、本発明の実施形態に係る接続先変更処理フローの一例を示すフローチャートである。図５及び図６は、ユーザからの指示を待つ指示待ち画像の一例を示した図である。当該接続先変更処理フローにおいて、前提として、情報処理装置２０を操作するユーザは、例えば、ネットワークの所定のサイトより、本発明の実施形態に係る接続先変更処理アプリケーションソフトウェアをダウンロードし、情報処理装置２０に実行可能なように保存しておく。そして、ユーザにより接続先変更処理アプリケーションソフトウェアの実行が指示されると、接続先変更処理アプリケーションソフトウェアに基づくプログラム動作が開始する。
【００４４】
（ステップＳ１）
通信端末１０は、情報処理装置２０に挿入されると、情報処理装置２０から給電を受ける。そして、通信端末１０は、メモリ等に記憶されているソフトウェアプログラムを起動し、以下の処理を実行可能に構成されている。図２に示す通信端末１０の接続部１３は、通信端末１０が情報処理装置２０に取り付けられたことを検出する。また、図３に示す情報処理装置２０の通信Ｉ／Ｆ２１７が、通信端末１０が情報処理装置２０に取り付けられたことを検出し、接続部１３は、通信Ｉ／Ｆ２１７により送信される検出結果に基づいて、通信端末１０が情報処理装置２０に取り付けられたことを検出するように構成されてもよい。
【００４５】
（ステップＳ３）
通信端末１０の無線通信部１５は、コアネットワークＥＰＣ上のサーバ装置１００Ａに対して、図２に示すＡＰ情報ＣＩＤ１１３のＡＰＮ：ＹＹに対応するＡＰ（第１接続先）に接続して通信端末１０の位置情報の登録を要求する。例えば、通信端末１０の無線通信部１５は、接続部１３において通信端末１０が情報処理装置２０に取り付けられたことを検出する場合に、コアネットワークＥＰＣ上のサーバ装置１００Ａに対して、通信端末１０の位置情報の登録を要求するように構成される。また、通信端末１０の無線通信部１５は、情報処理装置２０からのユーザ指示を受信する場合に、コアネットワークＥＰＣ上のサーバ装置１００Ａに対して、通信端末１０の位置情報の登録を要求するように構成されてもよい。
【００４６】
（ステップＳ５）
図１に示すサーバ装置１００ＡのＭＭＥ４０Ａは、通信端末１０の位置情報の登録の要求を受信する場合、ＨＳＳ８０からユーザの契約情報及び認証情報を取得し、契約情報及び認証情報に基づいてユーザ認証処理等を実行し、問題がなければ通信端末１０の位置情報を登録する。
【００４７】
また、サーバ装置１００ＡのＭＭＥ４０Ａは、通信端末１０の位置情報の登録の要求を受信する場合、サーバ装置１００Ａは、ＨＳＳ８０からベアラ設定に必要な契約情報等を取得し、管理するように構成される。そして、ＭＭＥ４０Ａは、例えば、通信端末１０の位置情報の登録の要求に含まれるＡＰＮに基づいて、図１に示す、ベアラ設定先のＳＧＷ５０Ａ及びＰＧＷ７０Ａを選択し、選択したＳＧＷ５０Ａに対してベアラ設定要求信号を送信する。ＳＧＷ５０Ａは、ベアラ設定要求信号に基づいてＰＧＷ７０Ａに対してベアラ設定処理を実行する。
【００４８】
サーバ装置１００ＡのＭＭＥ４０Ａは、例えば、通信端末１０の位置情報の登録処理の際に、サーバ装置１００ＡのＰＣＲＦ６０ＡにおいてＡＰＮごとに記録している課金体系を参照し、ＡＰＮ：ＹＹが非課金となっていると判断すると、ＰＧＷ７０Ａへ非課金制御を指示するように構成される。なお、本実施形態においては、上述したベアラ設定処理および課金制御処理は、通信端末１０の位置情報の登録処理に含まれるものとして説明しているが、通信端末１０の位置情報の登録処理とは別個の処理であってもよい。
【００４９】
（ステップＳ７）
サーバ装置１００Ａは、ＡＰ情報ＣＩＤ１１３のＡＰＮ：ＹＹに対応するＡＰに対する位置情報の登録処理が問題なく完了すると、位置情報の登録処理の結果を基地局３０に送信する。
【００５０】
（ステップＳ９）
基地局３０は、当該位置情報の登録処理の結果を通信端末１０に転送する。
【００５１】
（ステップＳ１１）
図２に示す通信端末１０の無線通信部１５は、基地局３０から当該結果を受信する場合、通信端末１０の接続部１３は、位置情報の登録処理の結果を情報処理装置２０に転送する。図３に示す情報処理装置２０の通信Ｉ／Ｆ２１７が位置情報の登録処理の結果を受信する場合、通信端末１０を仲介手段として、情報処理装置２０においてパケット交換方式での接続が確立し、当該方式でパケットデータ通信が可能な状態となる。すなわち、情報処理装置２０がＬＴＥ網に在圏するようになる。なお、移動通信システムは、情報処理装置２０がＬＴＥ網に在圏したか否かを、通信端末１０が位置情報の登録処理の結果を受信する場合に判断するように構成されてもよい。
【００５２】
ここで、図２に示す通信端末１０の無線通信部１５は、サーバ装置１００Ａが送信する、位置情報の登録処理の結果を受信できない場合、又は、サーバ装置１００Ａが送信する当該結果において当該登録処理が正しく実行されなかった旨を示す情報を含む場合は、ステップＳ３に戻り、位置情報の登録処理リクエスト（ＡＰＮ：ＹＹ）を送信するように構成されてもよい。
【００５３】
（ステップＳ１３及び図６）
図３に示す情報処理装置２０の中央処理装置２１０は、図５に示すように、通信端末１０から、ＡＰ情報ＣＩＤ１１３のＡＰＮ：ＹＹに対応するＡＰ（第１接続先）に対する位置情報の登録が完了した旨の情報を取得した場合にＡＰＮ：ＹＹに対応するＡＰとは異なる、ＡＰ情報ＣＩＤのＡＰＮ：ＸＸに対応するＡＰ（第２接続先）への接続指示を受け付けるための指示待ち画像Ｄ１を生成する。そして、情報処理装置２０は、生成した当該画像Ｄ１を表示部２１３上に出力する。
【００５４】
図５に示すように、画像Ｄ１においては、例示的に、電波の強弱を示すアイコン画像Ｉ１と、通信端末１０の位置情報の登録処理が完了し、ＰＤＮ等との接続が可能となった旨を示すテキストＴ１「準備完了」と、接続ボタンＢ１と、を備える。
【００５５】
（ステップＳ１５）
情報処理装置２０の中央処理装置２１０は、接続指示の受け付けの一例として、ユーザが図５に示す接続ボタンＢ１を選択する場合、通信端末１０へ、ＡＰＮ：ＹＹに対応するＡＰとは異なる、ＡＰＮ：ＸＸに対応するＡＰ（第２接続先）への接続を指示する。ここで、接続指示は、新たな接続先であるＡＰの情報、例えば、ＡＰＮ：ＸＸ、ＩＤ：ＸＸＸ、パスワード：ＸＸＸＸを含む。
【００５６】
（ステップＳ１６）
図２に示す通信端末１０の変更部１７は、ＡＰＮ：ＸＸに対応するＡＰ（第２接続先）への接続指示を受信する場合、ＡＰＮ：ＹＹに対応するＡＰとの接続を切断する。例えば、変更部１７は、通信端末１０がＡＰＮ：ＹＹに対応するＡＰ（第１接続先）と接続する際に登録処理された通信端末１０の位置情報の抹消をサーバ装置１００Ａにリクエストする。そして、サーバ装置１００Ａは、通信端末１０の位置情報の抹消リクエストに基づいて、通信端末１０の位置情報を抹消する。
【００５７】
（ステップＳ１７）
サーバ装置１００Ａは、通信端末１０の位置情報の抹消リクエストの要求に基づいて通信端末１０の位置情報を抹消した後、ステップＳ５において登録したＨＳＳ８０に対しても通信端末１０の登録情報の抹消を行う。
【００５８】
（ステップＳ１８）
図２に示す通信端末１０の変更部１７は、ＡＰＮ：ＹＹに対応するＡＰからＡＰＮ：ＸＸに対応するＡＰに自らの接続先を変更する。通信端末１０の変更部１７は、接続先を変更するために、例えば、サーバ装置１００Ｂと新たに接続する場合は、サーバ装置１００Ｂに対して、ＡＰＮ：ＹＹに対応するＡＰ（第１接続先）とは異なる、ＡＰＮ：ＸＸに対応するＡＰ（第２接続先）に接続して、通信端末１０の位置情報の登録を要求する。
【００５９】
（ステップＳ１９）
図１に示すサーバ装置１００ＢのＭＭＥ４０Ｂは、通信端末１０の位置情報の登録の要求を受信した場合、ＨＳＳ８０からユーザの契約情報及び認証情報を取得し、契約情報及び認証情報に基づいてユーザ認証処理等を実行し、問題がなければ通信端末１０の位置情報を登録する。また、サーバ装置１００ＢのＭＭＥ４０Ｂは、通信端末１０の位置情報の登録の要求を受信する場合、ベアラの設定を実行し、サーバ装置１００のＰＣＲＦ６０ＢにおいてＡＰＮごとに記録している課金体系を参照し、ＡＰＮ：ＸＸが課金となっていると判断すると、ＰＧＷ７０Ｂへ課金制御を指示するように構成される。そして、接続先変更処理が完了する場合、通信端末１０を仲介手段として、情報処理装置２０において変更後の接続先である、ＡＰＮ：ＸＸに対応するＡＰとのパケットデータ通信が可能な状態となる。
【００６０】
ここで、通信端末１０の記録部１１は、上記のとおり変更部１７が、ＡＰＮ：ＹＹに対応するＡＰとは異なる、ＡＰＮ：ＸＸに対応するＡＰに接続先を変更する場合に、現在記録部１１がＡＰ情報ＣＩＤ１１１として記録しているＡＰＮ：Ｃｏｍｍｏｎ、ＩＤ：Ｎｕｌｌ、パスワード：Ｎｕｌｌを、ＡＰＮ：ＸＸ、ＩＤ：ＸＸＸ、パスワードＸＸＸＸとなるように更新する。
【００６１】
（ステップＳ２１）
図２に示す通信端末１０の接続部１３は、接続先の変更処理の結果を基地局３０に送信する。
【００６２】
（ステップＳ２３）
基地局３０は、当該接続先の変更処理の結果を通信端末１０に転送する。
【００６３】
（ステップＳ２５）
図２に示す通信端末１０の無線通信部１５は、基地局３０から当該結果を受信する場合、通信端末１０の接続部１３は、接続先の処理の結果を情報処理装置２０に転送する。図３に示す情報処理装置２０の通信Ｉ／Ｆ２１７が接続先の処理の結果を受信する場合、通信端末１０を仲介手段として、情報処理装置２０において新たな接続先であるＡＰＮ：ＸＸに対応するＡＰとの接続が確立する。なお、移動通信システムは、情報処理装置２０が新たな接続先であるＡＰＮ：ＸＸに対応するＡＰとの接続が確立したか否かを、通信端末１０が接続先の処理の結果を受信する場合に判断するように構成されてもよい。
【００６４】
（ステップＳ２７）
図３に示す情報処理装置２０の中央処理装置２１０は、図６に示すように、通信端末１０から、接続先の変更処理の結果を取得した場合、ＡＰＮ：ＸＸに対応するＡＰ（第２接続先）との切断指示を受け付けるための指示待ち画像Ｄ２を生成する。そして、情報処理装置２０は、生成した当該画像Ｄ２を表示部２１３上に出力する。
【００６５】
図６に示すように、画像Ｄ２においては、例示的に、電波の強弱を示すアイコン画像Ｉ２と、情報処理装置２０がＡＰＮ：ＸＸに対応するＡＰと接続中である旨を示すテキストＴ２「接続中」と、図３に示す情報処理装置２０の時計部２１１が計数する、情報処理装置２０がＡＰＮ：ＸＸに対応するＡＰと接続してからの経過期間を示すテキストＴ３「００：００：２５」と、切断ボタンＢ１と、を備える。
【００６６】
情報処理装置２０の中央処理装置２１０は、切断指示の受け付けの一例として、ユーザが図６に示す切断ボタンＢ２を選択する場合、通信端末１０に対して、通信端末１０とＡＰＮ：ＸＸに対応するＡＰ（第２接続先）との接続を切断するよう指示する。図２に示す通信端末１０の変更部１７は、ＡＰＮ：ＸＸに対応するＡＰ（第２接続先）との切断指示を受信する場合、接続を切断するように構成されてもよい。この場合、通信端末１０は、ステップＳ３に戻り、再度、位置情報の登録処理リクエスト（ＡＰＮ：ＹＹ）を送信するように構成されてもよい。
【００６７】
以上、本実施形態では、情報処理装置２０に通信可能に接続される通信端末１０であって、第１接続先に接続して自らの位置情報の登録を要求し、位置情報の登録が完了した後に第１接続先とは異なる第２接続先に自らの接続先を変更して情報処理装置２０との通信を仲介するので、位置情報の登録処理を実行する通信において、ユーザに対して特別な便宜の付与が可能となる。
【００６８】
＜他の変形例＞
上記実施形態は、本発明の理解を容易にするためのものであり、本発明を限定して解釈するものではない。本発明はその趣旨を逸脱することなく、変更／改良（たとえば、各実施形態を組み合わせること、各実施形態の一部の構成を省略すること）され得るとともに、本発明にはその等価物も含まれる。
【００６９】
図４に示すステップＳ２３において、図３に示す情報処理装置２０の通信Ｉ／Ｆ２１７が、接続先の変更処理の結果を受信できない場合、又は、当該結果において当該変更処理が正しく実行されなかった旨を示す情報を含む場合は、情報処理装置２０の中央処理装置２１０は、ステップＳ３に戻り、再度、位置情報の登録処理リクエスト（ＡＰＮ：ＹＹ）を送信するように構成されてもよい。
【符号の説明】
【００７０】
１０：通信端末
１１：記録部
１３：接続部
１５：無線通信部
１７：変更部
２０：情報処理装置
３０：基地局
４０Ａ，Ｂ：ＭＭＥ
５０Ａ，Ｂ：ＳＧＷ
６０Ａ，Ｂ：ＰＣＲＦ
７０Ａ，Ｂ：ＰＧＷ
８０：ＨＳＳ
１００Ａ，Ｂ：サーバ装置
２１１：時計部
２１２：音声入出力部
２１３：表示部
２１４：操作部
２１５：撮像部
２１６：電源供給部
２１７：通信Ｉ／Ｆ
【図１】
0006306086.tif 000002
【図２】
0006306086.tif 000003
【図３】
0006306086.tif 000004
【図４】
0006306086.tif 000005
【図５】
0006306086.tif 000006
【図６】
0006306086.tif 000007